(57)【要約】  下ハウジングの後壁に実質的に垂直な旋回柱（２１２）含む下ハウジング（２００）と、押しボタン（２４４）組立品、テープ巻戻しスプール（２３４）、下ピン（２３６）、上ピン（２３８）、及び下ハウジングと摺動可能に係合するくさび（２４０）を含む背面板（２３０）組立品と、カッターアーム（２６２）を含む刃組立ユニット（２６０）と、を含む接着テープ繰出し装置が提供される。カッターアームは、切断刃（２６４）、及び下ハウジングの旋回柱（２１２）と摺動可能に係合する半管状の開口部（２７０）を含む。カッターアームは、くさびに沿って案内する外縁を更に含み、押しボタン組立品が前方に押されることで背面板組立品が前方に付勢されるとき、カッターアームの前端（切断刃を含む）を持ち上げる。押しボタン組立品が後方に付勢されるとき、レバーアーム及びレバー足（２６８）が背面板組立品の上ピン及び下ピン（２３８、２３６）と係合しカッターアームを旋回させ、その結果カッターアームの前部が下方に押しやられ、切断刃が接着テープを切断することができる。【選択図】図４
2013525228.tif 000002
【特許請求の範囲】
【請求項１】
外辺部を有する下ハウジングであって、内縁部と、内壁と、少なくとも２つの位置合わせ機構と、前方のテーププレスローラーと、旋回柱と、前方の摺動止めと、後方の摺動止めと、前方の横方向隆起部と、後方の横方向隆起部と、を含み、
前記内縁部は、ボタン開口部及び前方開口部をそれぞれ画定する２つの同一平面でない部分を除く前記下ハウジングの前記外辺部を実質的に取り囲み、
前記前方のテーププレスローラー、前記旋回柱、及び前記前方の横方向隆起部は、前記下ハウジングの前記内壁から内向きに突出する、下ハウジングと、
細長い開口部を有するとともに前側及び後側を有する背面板を含む背面板組立品であって、前記前側は、
テープ巻戻しスプールと、
前記背面板の前記前側から突出する下ピン、上ピン、及びくさびと、
前記背面板の前記前側に取り付けられ、前記前側から突出する押しボタン組立品と、
前記下ハウジングの前記前方の横方向隆起部及び前記後方の横方向隆起部とそれぞれ摺動可能に係合する前方の案内ブラケット及び後方の案内ブラケットと、
半管状であり、前記下ハウジングの後方の摺動止めと摺動可能に係合する後方の摺動止め開口部を含むテープスプールブリッジユニットと、
前記テープスプールブリッジユニットの内部に位置し、前記テープスプールブリッジユニットの前端及び前記後方の摺動止めと接触するコイルばねと、を含み、
前記旋回柱が、前記背面板の前記細長い開口部を通り抜けて突出する、背面板組立品と、刃組立ユニットであって、
前端及び後端を有し、前記前端に切断刃が取り付けられる切断アームと、
外縁及びレバー足を有するレバーアームであって、刃ホルダーの後端に取り付けられ、前記レバーアームから突出するレバー足を含む、レバーアームと、
前記下ハウジングの前記旋回柱と回転可能に係合する前記刃ホルダーの前記後端の接合部における半管状の開口部と、を含み、
前記レバーアームの前記外縁は、前記下ハウジングの前記くさびと摺動可能に係合し、前記レバー足は、前記背面板と摺動可能に係合し、
前記レバー足は、前記背面板の前記下ピンと前記上ピンとの間に位置する、刃組立ユニットと、を含む、接着テープ繰出し装置。
【請求項２】
内縁部と少なくとも２つの位置合わせ機構とを含む上ハウジングを更に含み、
前記上ハウジングの前記内縁部が前記下ハウジングの前記内縁部と接触することによって、前記背面板組立品と前記刃組立ユニットとを実質的に包む、請求項１に記載の接着テープ繰出し装置。
【請求項３】
前記下ハウジングの前記前方の横方向隆起部と前記後方の横方向隆起部とは、実質的に同一直線上にある、請求項１に記載の接着テープ繰出し装置。
【請求項４】
前記前方の横方向隆起部は、前方の摺動止めを含む、請求項３に記載の接着テープ繰出し装置。
【請求項５】
前記後方の横方向隆起部は、後方の摺動止めを含む、請求項３に記載の接着テープ繰出し装置。
【請求項６】
前記背面板組立品は、前記背面板の前端から突出するアイドラーローラーを更に含む、請求項１に記載の接着テープ繰出し装置。
【請求項７】
前記背面板の前記前端に取り付けられ、前記前端から突出するテープガイドを更に含む、請求項１に記載の接着テープ繰出し装置。
【請求項８】
前記背面板組立品は、前記後方の摺動止めと係合するコイルばねを更に含む、請求項１に記載の接着テープ繰出し装置。
【請求項９】
請求項１に記載の接着テープ繰出し装置を使用して接着テープを切断する方法であって、前記押しボタン組立品が付勢され得る総距離の約８０％より大きく後方に付勢された後でのみ、前記切断刃が前記接着テープを切断する、方法。
【発明の詳細な説明】
【技術分野】
【０００１】
本開示は接着テープ繰出し装置に関し、より具体的には、片手操作で接着テープを繰り出すことができる接着テープ繰出し装置に関する。
【背景技術】
【０００２】
接着テープ繰出し装置は周知の装置である。例えば、米国特許第４，０９７，３２８号（Ｕｒｕｓｈｉｚａｋｉ）は、セロハン接着テープを付けて自動的にテープを切断するのに使用される接着テープ繰出し装置を教示する。このテープ繰出し装置は、バネ仕掛けの揺動部材、揺動部材の底に載置されるテーププレスローラー、及び揺動部材が上下に旋回するとき回転可能になるように載置される刃搬送ディスクを含む。米国特許第７，３２０，３５１号（Ｃｈｅｒｎ）は、後方ばね、前方開口部、及び前方のテーププレスローラーを含むハウジングを含む接着テープ繰出し装置を教示し、テープ繰り出しユニットは、ばねによって付勢され、接着テープロールが上部に回転可能に置かれるテープマウント、開口部から突出する押込部材、並びに前切断刃及び上部隆起部を含むハウジングに旋回可能に載置されるカッターユニットを含む。開口部からわずかに突出したテープで密閉させて、表面に付着させるようにカッターを表面に置き、カッターを滑動することで、表面に付着させるテーププレスローラーによってテープが表面に圧接される。所望の長さのテープを繰出した後、押込部材を押すことで押込部材が押し下がり隆起部を通り越し、ばねが圧縮された状態で刃を押してロールからテープを切断する。この接着テープ繰出し装置は片手で操作することが可能である。
【０００３】
図１は、米国特許第７，３２０，３５１号（Ｃｈｅｒｎ）に開示されるテープカッター（接着テープ繰出し装置）の、側板を取り外した状態の斜視図である。カッターは、２つの嵌合する側板からなるハウジング１０１を含む。ハウジング１０１内には、片方の側板に少なくとも１つのタブ（タブはそれぞれ、双方の側板を一緒に留めるためにもう片方の側板にある穴（図示せず）にぴったりと挿入されるように適合される）、後端から前方に突出する棒１１３、前方開口部にテーププレスローラー１１５が回転可能に上部に載置される第１の軸１１１、及び片方の側板から横方向に突出する第２の軸１１２が設けられる。
【０００４】
カッターは、接着テープロールが上部に回転可能に置かれる管状のテープマウント１２１、開口部から突出する押込部材１２２、テープを押さえるためのテープガイド下押込部材１２２（図示せず）、及び近接のテープガイドのプラットホーム１２３を含む、テープ繰出しユニット１０２を更に含む。プラットホーム１２３及びテープガイドは、カッターからテープを引っ張りやすくするように適合される。
【０００５】
カッターは、棒１１３に付けられ、以下詳述するようにテープを繰出した後にテープ切断動作中にコイルばね１０４が圧縮することで、テープ繰り出しユニット１０２がカッターの内壁に接近移動できるように、カッターの内壁とテープ繰り出しユニット１０２の後方凹部との間で付勢されるコイルばね１０４を更に含む。カッターは、第２の軸１１２に回転可能に載置される後方管状部分を有し、前切断刃１３１、刃１３１をブロック部材の前端に固定して留めるための取付板１３２、及び押込部材１２２に近接して配置される上部隆起部１３４を含むカッターユニット１０３を更に含む。
【０００６】
図１を参照すると、動作中に、カッターを表面に置いて開口部からわずかに突出した接着テープロール１０５の開口端で密閉させて、表面に付着させる。次に、テープ１０５が表面に付着するようにテーププレスローラー１１５でテープ１０５を表面に圧接させた状態で、カッターを表面上で滑動させる。所望の長さのテープ１０５が表面上に置かれると、ユーザーは部材１２２が押し下げられて、隆起部１３４が開口部の縁部によって止まるまで隆起部１３４を通り越すように部材１２２を後方に押し得る。更に、ばね１０４が圧縮されている状態で刃１３１が押されテープ１０５をロールから切断する。
【発明の概要】
【発明が解決しようとする課題】
【０００７】
往々にして、上述のような片手での接着テープ繰出し装置の動作中にテープが繰出し装置の内部で詰まり、エンドユーザーに不便をかけ得る。その場合、エンドユーザーは２つの半体を分解し、繰出し装置を通し直し、再開しなければならない。エンドユーザーがアプリケータボタンのフルストロークを完了しなかったときに問題が生じ得る。これが生じるとき、刃はまだテープと接触している可能性がありテープが破れる。その結果、テープが刃の後ろに蓄積し得る。アプリケータボタンから指を放すと、テープが前方に跳ね返り、刃が引き込まれる前に刃に当たり、テープが繰出し装置の内部で詰まってしまう。したがって、片手で操作ができ、操作及び製造が簡単で、刃の後ろでテープが蓄積することによる詰まりが起こりにくい接着テープアプリケータが求められている。
【課題を解決するための手段】
【０００８】
提供する接着テープ繰出し装置は、操作しているユーザーに安全である、片手で操作できる、及び様々な接着テープに応用できるという利点を有する。更に、提供する接着テープ繰出し装置は、背面板に取り付けられる押しボタン組立品がユーザーによって後方に付勢されるとき、背面板に取り付けられるくさび、上ピン、及びピンと接触することで急に下方に付勢され得る刃ホルダー組立品に旋回可能なレバーアームを設けることによって、刃の後ろにテープが蓄積することによる詰まりの問題を克服する。提供する接着テープ繰出し装置は、先行技術と比較して押しボタン組立品が後方に付勢されるときに刃が接着テープと接触するのを遅らせ、次にテープを素早く切断する。切断刃の遅れた素早い下方運動によって、刃又は刃の組立体の部品がテープと接触する時間を最小にする一方で、接着テープに対する刃の迅速な切断運動を可能する。接触時間を最小限にすることで、テープが繰出し装置の内部で詰まることを著しく低減する、又は更には無くすことができる。
【０００９】
１つの態様では、外辺部を有する下ハウジングであって、内縁部、内壁、少なくとも２つの位置合わせ機構、前方のテーププレスローラー、旋回柱、前方の摺動止め、後方の摺動止め、前方の横方向隆起部、及び後方の横方向隆起部を含み、内縁部は、ボタン開口部及び前方開口部をそれぞれ画定する２つの同一平面でない部分を除く下ハウジングの外辺部を実質的に取り囲み、前方のテーププレスローラー、旋回柱、及び前方の横方向隆起部は、下ハウジングの内壁から内向きに突出する、下ハウジングと、細長い開口部を有するとともに前側及び後側を有する背面板を含む背面板組立品であって、前側は、テープ巻戻しスプール、背面板の前側から突出する下ピン、上ピン、及びくさび、背面板の前側に取り付けられ、前側から突出する押しボタン組立品、下ハウジングの前方の横方向隆起部及び後方の横方向隆起部とそれぞれ摺動可能に係合する前方の案内ブラケット及び後方の案内ブラケット、半管状であり、下ハウジングの後方の摺動止めと摺動可能に係合する後方の摺動止め開口部を含むテープスプールブリッジユニット、並びにテープスプールブリッジユニットの内部に位置し、テープスプールブリッジユニットの前端及び後方の摺動止めと接触するコイルばねを含み、旋回柱が、背面板の細長い開口部を通り抜けて突出する、背面板組立品と、刃組立ユニットであって、前端及び後端を有し、前端に切断刃が取り付けられる切断アーム、外縁及びレバー足を有するレバーアームであって、刃ホルダーの後端に取り付けられ、レバーアームから突出するレバー足を含む、レバーアーム、並びに下ハウジングの旋回柱と回転可能に係合する刃ホルダーの後端の接合部における半管状の開口部、を含み、レバーアームの外縁は、下ハウジングのくさびと摺動可能に係合し、レバー足は、背面板と摺動可能に係合し、レバー足は、背面板の下ピンと上ピンとの間に位置する、刃組立ユニットと、を含む、接着テープ繰出し装置が提供される。
【００１０】
別の態様では、提供する接着テープ繰出し装置を使用して接着テープを切断する方法であって、押しボタン組立品が付勢され得る総距離の約８０％より大きく後方に付勢された後でのみ、切断刃は接着テープを切断する（cuts though）。
【００１１】
本開示において、
「前方」又は「前」は、テープ繰出し装置の繰出端に向かう方向を指し、
「後方」又は「後」は、繰出し装置の繰出端から離れる方向を指し、
「内」は、図２、３ａ、３ｂ、及び４でテープ繰出し装置の内部に向かう方向若しくは側、又は上向き（観察者に向かって）を指し、
「外」は、テープ繰出し装置の内部から反対を向いている方向又は側を指し、
「半管状の開口部」は、一面が平らである、又は半円断面部分を画定する円筒で境界づけられる開口部を指す。
【００１２】
上記の概要は、本発明の全ての実施の開示された各実施形態を記述することを意図したものではない。「図面の簡単な説明」及び後に続く「発明を実施するための形態」は、説明に役立つ実施形態をより詳しく例示する。
【図面の簡単な説明】
【００１３】
【図１】米国特許第７，３２０，３１５号に開示されるテープカッターの、側板が取り外された側面図。
【図２】提供する接着テープ繰出し装置の実施形態の分解斜視図。
【図３ａ】背面板組立品が所定の位置にあり、切断ユニットが取り外された図２に示す接着テープ繰出し装置の側面図。
【図３ｂ】提供する接着テープ繰出し装置の実施形態の切断ユニットの側面図。
【図４】組み立てられた提供する接着テープ繰出し装置の実施形態の側面図。
【図５】先行技術のテープ繰出し装置と比較した提供する接着テープ繰出し装置の動作パラメーターのグラフ。
【発明を実施するための形態】
【００１４】
以下の説明において、本明細書の説明の一部を構成し、いくつかの特定の実施形態が例として示される添付の一連の図面を参照する。本発明の範囲又は趣旨を逸脱せずに、その他の実施形態が考えられ、実施され得ることを理解すべきである。したがって、以下の詳細な説明は、限定的な意味で解釈されるべきではない。
【００１５】
他に指示がない限り、本明細書及び「特許請求の範囲」で使用される特徴の大きさ、量、及び物理特性を表わす数字はすべて、どの場合においても用語「約」によって修飾されるものとして理解されるべきである。それ故に、そうでないことが示されない限り、前述の明細書及び添付の「特許請求の範囲」で示される数値パラメーターは、当業者が本明細書で開示される教示内容を用いて、目標対象とする所望の特性に応じて、変化し得る近似値である。終点による数の範囲の使用は、その範囲内（例えば、１〜５は、１、１．５、２、２．７５、３、３．８０、４、及び５を含む）の全ての数及びその範囲内の任意の範囲を含む。
【００１６】
図２、３ａ、３ｂ、及び４を参照すると、提供する接着テープ繰出し装置の実施形態が例示される。繰出し装置は、上ハウジング（図示せず）と嵌装するように作られた下ハウジング２００を含む。上ハウジングの少なくとも２つの位置合わせ機構（図示せず）は、下ハウジングの少なくとも２つの位置合わせ機構に装入する。図２、３ａ、３ｂ、及び４に示す実施形態では、下ハウジング２００の位置合わせ機構は少なくとも２つの位置合わせ穴２２２を含み、対応する上ハウジングの位置合わせ機構（図示せず）は少なくとも２つの位置決めピンを含む。下ハウジングが上ハウジングと嵌合するとき、上ハウジング及び下ハウジング２００は、下ハウジング２００の内縁部２０２及び対応する上ハウジングの内縁部に沿って実質的に接触し合う。例えば隆起及び溝、整合する表面機構、タブ、凹部等の他の位置合わせ特徴も考えられる。
【００１７】
提供する接着テープ繰出し装置は、下ハウジング２００、背面板組立品２３０、及び刃ホルダー組立品２６０を含む。上述したように、提供する接着テープ繰出し装置は、内縁部及び少なくとも２つの位置合わせ機構を含む上ハウジングを含むこともでき、上ハウジングの内縁部が下ハウジングの内縁部と接触することによって、背面板組立品及び刃組立ユニットを実質的に包む。
【００１８】
下ハウジング２００は、内壁２０４を含み、実質的に下ハウジング２００の外辺部を取り囲む内縁部２０２を有する。下ハウジングが上ハウジングに嵌合されるとき、内縁部２０２は上ハウジングの同様の内壁と合致し、本明細書で説明する接着テープ繰出し装置の作動部分を実質的に封入する。内縁部２０２は、テープが繰出され得る前方開口部２０６、及び押しボタン組立品２４４が突出できる押しボタン開口部２１０を含む。下ハウジング２００は、旋回柱２１２、及び内壁２０４から実質的に垂直に内向きに突出する前方のテーププレスローラー２０８を含む。前方のテーププレスローラー２０８は前部開口部２０６内に位置し、繰出し装置を出る接着テープを基材上に押す働きをする。下ハウジング２００は、内壁２０４から内向きに突出する前方の横方向隆起部２１４及び後方の横方向隆起部２１６を更に含む。前方の横方向隆起部２１４及び後方の横方向隆起部２１６は実質的に同一直線上にある。前方の横方向隆起部２１４は、前方開口部２０６から背面板組立品摺動レール２２４まで実質的に延在し、繰出し装置が組み立てられると、背面板組立品の外側部分はそのレールと摺動可能に係合する。前方の横方向隆起部２１４は前方の摺動止め２１８を含み、背面板組立品摺動レール２２４は後方の摺動止め２２０を含む。摺動止め２１８及び２２０は、繰出し装置の動作中に背面板組立品２３０の前方及び後方の摺動限界を画定する。
【００１９】
提供する接着テープ繰出し装置は、図２に単独で示し、図３に下ハウジング２００に装着されて示し、図４に完全な接着テープ繰出し装置組立品の一部として示す背面板組立品２３０を含む。背面板組立品２３０は、内向き側（図２、３ａ及び４に示す）及び下ハウジング２００の対向する内壁２０４に面する外向き側（図では見えない）を有する。背面板組立品２３０は、前端で背面板２３２から実質的に垂直に内向きに突出するテープガイド２４８を有する背面板２３２を含む。背面板組立品２３０の前端は、同様に背面板２３２に実質的に垂直に内向きに突出するアイドラーローラー２４２を含む。くさび２４０、上ピン２３８、及び下ピン２３６はすべて、背面板２３２からアイドラーローラー２４２の上方に内向きに突出する。それらの機能は刃ホルダー組立品２６０の動きを案内することであり、更に説明する。図３ａに示すように背面板組立品が下ハウジングと係合するとき、背面板２３２は、ボタン開口部２１０から突出する押しボタン組立品２４４（背面板２３２の前側に取り付けられ、そこから突出する）に取り付けられる。背面板２３２は、同様に図３ａに示すように組み立てられると、下ハウジング２００の旋回柱２１２と摺動可能に係合する細長い開口部２４６を有する。
【００２０】
背面板は、下ハウジング２００の前方の摺動止め２１８と摺動可能に係合する前方の摺動止め開口部２５４を更に含む。背面板組立品の外向き側（図示せず）は、組み立てられるとき、下ハウジング２００の前方の横方向隆起部２１４及び後方の横方向隆起部２１６と摺動可能に係合する２組の案内ブラケット（前方の案内ブラケット及び後方の案内ブラケット）を含む。ブラケットはそれぞれ、下ハウジング２００の内壁２０４に向かって背面板組立品２３０に実質的に垂直に短い距離延びる２つの小さなタブを含む。背面板組立品が下ハウジングに位置決めされると、前方の横方向隆起部２１４は前方のブラケットの２つのタブの間で摺動し、後方の横方向隆起部２１６は後方のブラケットの２つのタブの間で摺動する。前方のブラケットは背面板組立品の前端の近傍に位置し、後方のブラケットはテープ巻戻しスプールを越えて背面板組立品の後端に位置する。
【００２１】
背面板組立品２３０は、背面板２３２と実質的に同一平面にあり、テープ巻戻しスプール２３４の直径に及ぶテープスプールブリッジユニット２５６を更に含む。テープスプールブリッジユニット２５６は半管状であり、平らな外向き側が背面板２３２の外向き側と同一平面にあり結合している。テープスプールブリッジユニット２５６の内部は半管状であり、図３ａ及び４に示すように組み立てられると下ハウジング２００の後方の摺動止め２２０と摺動可能に係合する、後方の摺動止め開口部２５８を含む。テープスプールブリッジユニット２５６は、テープスプールブリッジユニット２５６の内部に位置するコイルばね２５２を更に含み、そのコイルばねは、図４に示すようにテープスプールブリッジユニット２５６の前端及び後方の摺動止め２２０との接触によって圧縮され得る。
【００２２】
提供する接着テープ繰出し装置は、刃ホルダー組立品２６０を更に含む。刃ホルダー組立品２６０は、図２及び４に示すように刃ホルダー組立品２６０の前端から下方へ突出する切断刃２６４を含む。図３ｂは刃ホルダー組立品２６０の側面図であり、刃ホルダー組立品２６０を表示する。図３ｂは、刃ホルダー組立品２６０の前端から下方へ突出する切断刃２６４の別の図を例示する。刃ホルダー組立品２６０は、刃ホルダー組立品２６０に実質的に垂直に、同様に下方の方向に突出するテープ押し下げ柱２７２を更に含む。刃ホルダー組立品２６０の後部は、下ハウジング２００の旋回柱２１２と回転可能に係合し得る半管状の開口部２７０を含む。レバーアーム２６６は、刃ホルダー組立品２６０の後部の外部（（背面板２３２の内部に対向して面する）外面と面一である）から実質的に垂直に延在する。レバーアーム２６６は、レバーアーム２６６に実質的に垂直であり、かつ刃ホルダー組立品２６０と実質的に平行であるレバー足２６８を含む。図４は、組み立てられた接着テープ繰出し装置の所定の位置にある刃ホルダー組立品２６０を示す。刃ホルダー組立品２６０は、半管状の開口部２７０で旋回柱２１２と係合する。所定の位置にあるとき、刃ホルダー組立品２６０は、レバーアーム２６６が背面板２３２の内面とじかに接触するように係合される。背面板２３２と面一である刃ホルダー組立品２６０の外向き側の輪郭を図４に点線で示す。刃カッター組立品により広い内リムがあり、押しボタン組立品２４４が前方に付勢される（テープを繰り出すとき）又は後方に付勢される（テープを切断するとき）とき、背面板組立品２３０の押しボタン組立品２４４を横方向に案内する。所定の位置にあるとき、レバー足２６８は上ピン２３８と下ピン２３６との間に嵌合し、刃ホルダー組立品２６０の外縁２７４がくさび２４０に沿って案内する。その動作を更に説明する。
【００２３】
図３ａ及び４を参照することで、提供する接着テープ繰出し装置の動作が理解され得る。図４は、提供する接着テープ繰出し装置を通って接着テープ２７８のスレッディングを例示する。この実例では、背面板組立品２３０は後方位置にあり、刃ホルダー組立品２６０は下方の切断位置にある。接着テープ２７８は、アイドラーローラー２４２と刃ホルダー組立品２６０との間を通過するようにテープスプール２７６から巻戻される。テープの接着剤面がアイドラーローラー２４２の上を横断するので、アイドラーローラー２４２は、接着テープ２７８にくっつかない低エネルギー表面を有する。次に、接着テープ２７８はテープガイド２４８の上を通り、テープ押し下げ柱２７２の下を通り、切断刃２６４の下を通る。接着テープ繰出し装置が図４に示すような「切断位置」にあるとき、テープが切断される。テープの残りは、基材（図示せず）に押し付けられると前方開口部２０６から前方プレスローラー２０８の下を通る。この「切断位置」で、背面板組立品は最も離れた後方位置（前方の摺動止め２１８が前方の摺動止め開口部２５４の前方の限界を接触するところ）にあり、コイルばね２５２が圧縮される。
【００２４】
図３ａは、提供する接着テープ繰出し装置（背面板組立品２３０が見えやすいように刃ホルダー組立品２６０が取り外された状態で）を前方位置で例示する。この位置で、前方の摺動止め２１８が前方の摺動止め開口部２５４の最後端に接触し、それと同時に（テープスプールブリッジユニット２５６の半管状の下面の中で）後方の摺動止め２２０が後方の摺動止め開口部２５８の端に接触するまで、背面板組立品２３０ができるだけ前方に滑動される。この位置で、コイルばね２５２は緩和状態にある。提供する接着テープ繰出し装置は、典型的に、上述したように作動部分をすべて封入する上ハウジングを更に含む。
【００２５】
接着テープ繰出し装置の動作をここで説明する。提供する接着テープ繰出し装置が前方位置（上述したように）にあるとき、刃ホルダー組立品２６０の外縁２７４の前方部分が、カッターアーム２６２を強制的に上げ、切断刃２６４を接着テープの経路から外させるくさび２４０と摺動可能に係合するので、カッターアーム２６２は上向きの位置にある。この位置で、押しボタン組立品２４４も前方位置にあり、ユーザーが押しボタン組立品を押し下げることができ、前方のテーププレスローラー２０８に圧力が加えられ、その結果接着テープ２７８（図３ａに示さず）を下に押す。ユーザーはテープ繰出し装置全体を後方に動かすことができ、ユーザーがテープを切断することを望むまで接着テープが繰出し装置から繰り出される。
【００２６】
テープを切断するために、ユーザーは押しボタン組立品２４４を前方位置（図３ａに示す）から後方位置（図４に示す）に押しやる。押しボタン組立品２４４が背面板２３２に取り付けられ、刃ホルダー組立品２６０が旋回柱２１２（下ハウジング２００の一部）に取り付けられるので、押しボタン組立品２４４が後方に付勢されると、刃ホルダー組立品２６０のレバーアーム２６６の外縁が上ピン２３８及び下ピン２３６を押して、切断ユニット２０６を左回りに旋回させる。これによってテープ押し下げ柱２７２に接着テープ２７８を保持させ、切断刃２６４が接着テープ２７８を切断する（cut though）ことができる。接着テープの繰出しを再開するために、ユーザーは押しボタン組立品２４４を前方に押しやり切断ユニットを「上げる」、つまり切断しない位置に再び移動させ、テープの繰出しを再開することができる。
【００２７】
図５は、先行技術のテープ繰出し装置と比較した、提供する接着テープ繰出し装置の動作パラメーターのグラフである。先行技術のテープ繰出し装置は図１に示すものと同じである。１８ｍｍ幅のＳＣＯＴＣＨ  ＭＡＧＩＣ  ＴＡＰＥ（３Ｍ（Ｓｔ．Ｐａｕｌ，ＭＮ）から入手可能）のロールをそれぞれの繰出し装置に装填した。刃の垂直移動距離を測定し、押しボタンの引き戻し距離の関数としてグラフ化した。比較例１ａ及び１ｂは、ＳＣＯＴＣＨ  ＭＡＧＩＣ  ＴＡＰＥのロールを装填した先行技術のテープ繰出し装置の、刃の移動距離対引き戻し距離を表示する。実施例１ａ及び１ｂは、図４に示す提供する接着テープ繰出し装置の実施形態の同じデータを示す。塗りつぶしたデータ点は、切断刃が下方に動き、テープを切断する際に測定した押しボタンの後方への動きである。中空の点は、切断刃が休止位置（０．００引き戻し距離）に引き込む際の押しボタンの前方への動きである。線５０１は、刃が（下方向に）テープと最初に接触する刃の移動距離点、又は刃が（上方向に）テープと最後に接触する最後の点である。図５に表示するデータは、切断及び引き込みに関して、提供する接着テープ繰出し装置の切断刃が先行技術の繰出し装置よりはるかに短時間接着テープと接触することを示す。押しボタン組立品は、押しボタン組立品が付勢され得る総距離の約０．４２／０．４７、つまり８９％後方に付勢された後で、切断刃は接着テープと接触する。他の実施形態では、押しボタン組立品は、押しボタン組立品が付勢され得る総距離の約８０％、総距離の約８５％、又は更には総距離の約８９％後方に付勢された後で、切断刃は接着テープと接触し得る。
【００２８】
提供する接着テープ繰出し装置はコンパクトであり、ユーザーが片手で操作できるように作られている。テープを切断するとき以外は、切断刃は下ハウジング（及び上ハウジング）内に常時引き込んで存在するので、ユーザーの手が刃に触れる恐れが無い。提供する接着テープ繰出し装置は、上ピン、下ピン、及びくさびの配置、並びに繰出し装置の、テープ切断の動作のすぐ後に刃ホルダー組立品が素早く下方の切断運動をすることができるので有利である。比較的短いカッターアーム、並びにウェッジ、上ピン、及び下ピンに案内されるレバーアーム及びレバー足の機能の組み合わせにより、非常に迅速な切断及び切断刃の引き込みができる。これらの特徴は、刃の後ろでテープが蓄積することによる詰りを克服する。
【００２９】
本発明の範囲及び趣旨から逸脱しない本発明の様々な変更及び改変は、当業者には明らかとなるであろう。本発明は、本明細書で述べる例示的な実施形態及び実施例によって不当に限定されるものではないこと、また、こうした実施例及び実施形態は、本明細書において以下に記述する「特許請求の範囲」によってのみ限定されると意図する本発明の範囲に関する例示のためにのみ提示されることを理解すべきである。本開示に引用された全ての参照文献は、その全体が参照により本明細書に組み込まれる。
【図１】
2013525228.tif 000003
【図２】
2013525228.tif 000004
【図３ａ】
2013525228.tif 000005
【図３ｂ】
2013525228.tif 000006
【図４】
2013525228.tif 000007
【図５】
2013525228.tif 000008
【国際調査報告】
2013525228.tif 000009
2013525228.tif 000010